(57)【要約】【課題】  表示パネルの温度を低く抑えることができ、表示パネルの寿命を長くすることができる表示パネル、表示装置、表示モジュール、および電子機器を提供する。【解決手段】  有機ＥＬパネル２には、そのパネル表面２ａの非発光エリア９に放熱板６が設けられている。この有機ＥＬパネル２では、発光エリア８全体で画像を表示するので、その発光エリア８全体が実表示領域であり、放熱板６はそのパネル表面２ａの非発光エリア９に設けられている。放熱板６がパネル表面２ａ側に伝わる熱を奪って放熱するので、パネル表面２ａ側での発熱を抑制することができる。【選択図】      図２
2006251600.tif 000002
【特許請求の範囲】
【請求項１】
基板上に、発光素子を有する画素が複数配置された発光エリアと、前記画素が配置されない非発光エリアとを含む表示パネルにおいて、
前記発光エリアは、画像表示に用いられる実表示領域と、実表示領域以外の領域とを有し、
前記実表示領域以外の領域に放熱板を設けたことを特徴とする表示パネル。
【請求項２】
請求項１に記載の表示パネルにおいて、
前記非発光エリアにも放熱板を設けたことを特徴とする表示パネル。
【請求項３】
基板上に、発光素子を有する画素が複数配置された発光エリアと、前記画素が配置されない非発光エリアとを含む表示パネルにおいて、
前記非発光エリアに放熱板を設けたことを特徴とする表示パネル。
【請求項４】
請求項２又は３に記載の表示パネルにおいて、
前記放熱板は、前記発光エリアに対応する部分が打ち抜かれた環状の板であり、該環状の放熱板が、前記非発光エリア全体に設けられていることを特徴とする表示パネル。
【請求項５】
請求項１〜４のいずれか一つに記載の表示パネルにおいて、
前記放熱板の表面には、複数の舌片を曲げ起こした複数のフィンが設けられていることを特徴とする表示パネル。
【請求項６】
請求項１〜５のいずれか一つに記載の表示パネルにおいて、
前記放熱板の少なくとも両側には、前記表示パネルの両側部に弾発的に係合する係合部が形成されていることを特徴とする表示パネル。
【請求項７】
請求項１〜６のいずれか一つに記載の表示パネルにおいて、
前記発光素子は、エレクトロルミネッセンス素子であることを特徴とする表示パネル。
【請求項８】
請求項１〜７のいずれか一つに記載の表示パネルにおいて、
前記放熱板を、パネル表面側に設けたことを特徴とする表示パネル。
【請求項９】
請求項１〜８のいずれか一つに記載の表示パネルを有することを特徴とする表示装置。
【請求項１０】
請求項１〜８のいずれか一つに記載の表示パネルを複数個並べて配置し、該複数個の表示パネルで異なる画像を表示させるように構成したことを特徴とする表示モジュール。
【請求項１１】
請求項１〜８のいずれか一つに記載の表示パネルを備え、前記発光エリア内の複数の表示領域で異なる画像を表示させるように構成したことを特徴とする表示モジュール。
【請求項１２】
請求項１〜８のいずれか一つに記載の表示パネルを用いたことを特徴とする電子機器。
【発明の詳細な説明】
【技術分野】
【０００１】
本発明は、有機ＥＬパネル等の表示パネル、表示装置、表示モジュール、および電子機器に関する。
【背景技術】
【０００２】
近年、有機ＥＬ素子を用いた有機ＥＬ（エレクトロルミネッセンス）パネルが、低消費比電力、高視野角、高コントラスト比で他の装置より優れているとして注目されている。自発光型の素子を使う有機ＥＬディスプレイやプラズマディスプレイ等の表示装置では、表示パネルに熱を持つため、表示パネルの放熱が必要である。従来、プラズマディスプレイパネル用放熱装置として、例えば特許文献１に記載された技術が知られている。この放熱装置では、所定の隙間をあけて対向配置され、一方がプラズマディスプレイパネルの背面に熱伝導性シートを介して伝熱可能に接合される２枚の伝熱板の間に、放熱フィンが設けられている。放熱フィンは凹凸形状の繰り返しにより形成されたコルゲートフィンからなり、フィン長手方向が伝熱板の長辺及び短辺に対して傾斜することにより、伝熱板の間に傾斜した通気路を形成している。また、特許文献１に記載されたプラズマ表示装置では、プラズマディスプレイパネル用放熱装置がプラズマディスプレイパネルの背面側に伝熱可能に設けられている。
【特許文献１】特開２０００−２４２１８２号公報
【発明の開示】
【発明が解決しようとする課題】
【０００３】
ところで、本発明者が実験した結果、有機ＥＬディスプレイやプラズマディスプレイ等の表示装置に用いる表示パネルでは、複数の画素の各発光素子で発生した熱は、パネル表面（光出射面）とは反対側のパネル背面側に伝わるだけでなく、パネル表面側にも伝わるので、そのパネル表面を冷却すると、表示パネルの冷却効果が高いことがわかった。例えば、発光素子基板と封止基板を備え、発光素子基板側から光が出射するボトムエミッションタイプの有機ＥＬパネルの場合、各発光素子で発生した熱は、発光素子基板と封止基板内部の間に収納された乾燥剤を介して封止基板側へ伝わるだけでなく、発光素子基板側にも伝わる。
【０００４】
上記特許文献１に記載されているような従来の表示装置では、表示パネルの背面側に放熱板や放熱構造を設けてその背面側で放熱する構造をとっていた。そのため、パネルの冷却効果が十分ではなく、パネル温度を十分に下げることができないという問題があった。特に、有機ＥＬパネルの場合、有機ＥＬパネルの温度上昇を抑えることが寿命対策に重要となる。
【０００５】
本発明は、このような従来の問題点に着目してなされたもので、その目的は、表示パネルの温度を低く抑えることができ、表示パネルの寿命を長くすることができる表示パネル、表示装置、表示モジュール、および電子機器を提供することにある。
【課題を解決するための手段】
【０００６】
本発明における表示パネルは、基板上に、発光素子を有する画素が複数配置された発光エリアと、前記画素が配置されない非発光エリアとを含む表示パネルにおいて、前記発光エリアは、画像表示に用いられる実表示領域と、実表示領域以外の領域とを有し、前記実表示領域以外の領域に放熱板を設けたことを要旨とする。
【０００７】
これによれば、実表示領域以外の領域に設けた放熱板がパネルに伝わる熱を奪って放熱
するので、パネルの発熱を抑制することができる。したがって、表示パネルの温度を低く抑えることができ、表示パネルの寿命を長くすることができる。
【０００８】
この表示パネルにおいて、前記非発光エリアにも放熱板を設けたことを要旨とする。
これによれば、非発光エリアにも設けた放熱板がパネルに（例えばパネル表面に）伝わる熱を奪って放熱するので、パネルの発熱（例えばパネル表面側での発熱）を抑制することができる。
【０００９】
この表示パネルにおいて、基板上に、発光素子を有する画素が複数配置された発光エリアと、前記画素が配置されない非発光エリアとを含む表示パネルにおいて、前記非発光エリアに放熱板を設けたことを要旨とする。
【００１０】
これによれば、非発光エリアに設けた放熱板がパネルに（例えばパネル表面に）伝わる熱を奪って放熱するので、パネルの発熱（例えばパネル表面側での発熱）を抑制することができる。
【００１１】
この表示パネルにおいて、前記放熱板は、前記発光エリアに対応する部分が打ち抜かれた環状の板であり、該環状の放熱板が、前記非発光エリア全体に設けられていることを要旨とする。
【００１２】
これによれば、環状の放熱板が非発光エリア全体でパネルに伝わる熱を奪って放熱するので、パネルの発熱を効果的に抑制することができる。
この表示パネルにおいて、前記放熱板の表面には、複数の舌片を曲げ起こした複数のフィンが設けられていることを要旨とする。
【００１３】
これによれば、放熱板の表面の複数のフィンにより、パネルに伝わる熱をさらに効果的に奪って放熱することができるので、表示パネルの温度をさらに低く抑えることができ、表示パネルの寿命をさらに長くすることができる。
【００１４】
この表示パネルにおいて、前記放熱板の少なくとも両側には、前記表示パネルの両側部に弾発的に係合する係合部が形成されていることを要旨とする。
これによれば、放熱板の少なくとも両側にある係合部を表示パネルの両側部に弾発的に係合させることで、両面テープや接着剤を使わずに放熱板を表示パネルに固定することができる。また、放熱板がパネル表面に直に接触して固定されることで、パネル表面に伝わる熱を放熱板が熱伝導により直接に奪って放熱するので、高い放熱効果が得られ、パネル表面側での発熱をより効果的に抑制することができる。また、放熱板の表示パネルへの取り付けも簡単になる。
【００１５】
この表示パネルにおいて、前記発光素子は、エレクトロルミネッセンス素子であることを要旨とする。
これによれば、エレクトロルミネッセンス素子を用いた有機ＥＬパネル等のエレクトロルミネッセンスパネルの寿命を長くすることができる。
【００１６】
この表示パネルにおいて、前記放熱板を、パネル表面側に設けたことを要旨とする。
本発明者が実験した結果、複数の画素の各発光素子で発生した熱は、パネル表面とは反対側のパネル背面側に伝わるだけでなく、パネル表面側にも伝わるので、そのパネル表面を冷却すると、表示パネルの冷却効果が高いことがわかった。これによれば、パネル表面の実表示領域より外側の領域に設けた放熱板がパネル表面に伝わる熱を奪って放熱するので、パネル表面側での発熱を抑制することができる。したがって、表示パネルの温度を低く抑えることができ、表示パネルの寿命を長くすることができる。
【００１７】
ここで、「パネル表面」は発光素子で発光した光が出射する側の面（光出射面）をいう。例えば、表示パネルが、発光素子基板と封止基板とを備え、発光素子基板側から光が出射するボトムエミッションタイプの場合、光が出射する発光素子基板の表面がパネル表面となる。
【００１８】
本発明における表示装置は、前記表示パネルを有することを要旨とする。これによれば、表示パネルの寿命の長い表示パネルを実現できる。
本発明における表示モジュールは、前記表示パネルを複数個並べて配置し、該複数個の表示パネルで異なる画像を表示させるように構成したことを要旨とする。これによれば、複数個の表示パネルで異なる画像を表示させる表示モジュールにおいて、各表示パネルの寿命を長くすることができるとともに、高品質な表示を長期間にわたって維持することができる。
【００１９】
本発明における表示モジュールは、前記表示パネルを備え、前記表示パネルの発光エリア内の複数の表示領域で異なる画像を表示させるように構成したことを要旨とする。これによれば、１枚のパネルで異なる画像を表示させる表示モジュールにおいて、表示パネルの寿命を長くすることができるとともに、高品質な表示を長期間にわたって維持することができる。
【００２０】
本発明における電子機器は、前記表示パネルを用いたことを要旨とする。これによれば、表示パネルの寿命を長くすることができるとともに、高品質な表示を長期間にわたって維持することができる。
【発明を実施するための最良の形態】
【００２１】
以下、本発明を具体化した各実施形態を、図面に基づいて説明する。なお、各実施形態の説明において同様の部位には同一の符号を付して重複した説明を省略する。
（第１実施形態）
第１実施形態に係る表示装置１を図１〜図５に基づいて説明する。
【００２２】
この表示装置１は、図１および図２に示すように、エレクトロルミネッセンスパネルとしての有機ＥＬパネル２（表示パネル）と、この有機ＥＬパネル２の表面（パネル表面２ａ）に設けられた放熱板６とを備える有機ＥＬディスプレイである。表示パネルとしての有機ＥＬパネル２は、自発光型のエレクトロルミネッセンス素子（発光素子）としての有機ＥＬ素子２２１をそれぞれ有する複数の画素２２０がマトリクス状に配置された発光素子基板１１と、複数の画素２２０を密封するように発光素子基板１１に接合された封止基板１２とを備える。図１では複数の画素２２０のうちの一つのみを示してある。この有機ＥＬパネル２は、複数の画素２２０の各有機ＥＬ素子２２１で発光した光が図１の矢印で示すように、有機ＥＬパネル２のパネル表面２ａ（図３参照）側から出射するボトムエミッションタイプの有機ＥＬパネルである。なお、そのパネル表面２ａは、発光素子基板１１の表面である。
【００２３】
有機ＥＬパネル２の光出射面であるパネル表面２ａには、外部入射光がその表面で反射するのを抑制するために円偏光板７が貼付けられている。この円偏光板７は、各有機ＥＬパネル２の発光エリア８全体を覆うように配置されている。この有機ＥＬパネル２では、発光エリア８の周囲が、いわゆる額縁と呼ばれる非発光エリア９（図２参照）になっている。
【００２４】
有機ＥＬパネル２の発光素子基板１１上には、図３では図示を省略してあるが、陽極として機能する矩形状の画素電極がマトリクス状に形成されており、各画素電極上に、例え
ば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２２０の有機ＥＬ素子２２１（図３参照）が構成されている。つまり、図３に示す一つの画素の有機ＥＬ素子２２１は、透明な画素電極と、正孔注入／輸送層と、発光層と、共通電極である陰極とで構成されている。さらに、発光素子基板１１上には、複数の電源線、複数の信号線、および複数の制御線を含む複数の配線の端子部（図示省略）が形成されている。
【００２５】
封止基板１２は、図３に示すように、矩形状の凸部１２ａを有する有底筒状に形成されており、例えば透明なガラス基板で作製されている。封止基板１２は、複数の画素２２０全体を密封するように凸部１２ａの端面が発光素子基板１１に接着剤５１で接合されている（図３参照）。また、有機ＥＬパネル２は、図３に示すように、発光素子基板１１と封止基板１２との間の空間に収納され、水分を吸収可能な乾燥剤５２（図３参照）を備えている。この乾燥剤５２は、封止基板１２の内面１２ｂに接着剤で固定されている。
【００２６】
また、表示装置１は、図２および図４に示すように、有機ＥＬパネル２の他に、封止基板１２の表面に固定されたパネルコネクト基板１６と、このパネルコネクト基板１６のほぼ中央に固定された取り付けベース１７とを備える。この取り付けベース１７は、有機ＥＬパネル２を複数個並べて図１１に示すようなベースプレート５に固定する際に必要となる部材であり、通常の表示装置には無くてもよい。さらに表示装置１は、左右２つのパネル制御基板２２，２３と、有機ＥＬパネル２の左右両側に２つずつ配置された合計４つのフレキシブル配線基板２４，２５，２６および２７とを備える。
【００２７】
図４に示すパネル制御基板２２，２３には、例えば、車情報データおよび画像データ等に基づいて外部の回路でそれぞれ作成されて供給される各種の表示用画像データを使って有機ＥＬパネル２に画像表示をさせるパネル制御回路がそれぞれ設けられている。ここで、「車情報データ」は、移動体が自動車等の車両の場合、車の運転情報を表わす車速、エンジン回転数等のデータである。また、「画像データ」は、車両に搭載されるカーナビゲーション装置、テレビ、ビデオ装置等の他のシステムからの画像データ、ＨＤＤ，ＤＶＤ等の記憶装置からの画像データを含む。
【００２８】
パネル制御基板２２のパネル制御回路は、２つのフレキシブル配線基板２４，２５を介して有機ＥＬパネル２上の複数の配線等とそれぞれ電気的に接続される。パネル制御基板２３のパネル制御回路は、２つのフレキシブル配線基板２６，２７を介して有機ＥＬパネル２上の複数の配線等とそれぞれ電気的に接続される。このような電気的接続を得るために、フレキシブル配線基板２４，２５上の複数の配線の入力端側は、パネル制御基板２２に設けられた４箇所のコネクタ２８に接続されている。また、フレキシブル配線基板２４，２５上の複数の配線の出力端側は、発光素子基板１１上の複数の配線等と異方性導電膜（ＡＣＦ）を介して電気的に接続されている。同様に、フレキシブル配線基板２６，２７上の複数の配線の入力端側は、パネル制御基板２３に設けられた４箇所のコネクタ２９に接続されている。また、フレキシブル配線基板２６，２７上の複数の配線の出力端側は、発光素子基板１１上の複数の配線等と異方性導電膜を介して電気的に接続されている（図４参照）。
【００２９】
これら２つのパネル制御基板２２の各パネル制御回路は、例えば図示を省略した外部の回路とそれぞれ電気的に接続され、上記各種の表示用画像データ、制御信号、電源等の信号が外部の回路から図示を省略した接続ケーブルを介して入力される。その接続ケーブルが接続されるコネクタ３１，３２がパネル制御基板２２，２３にそれぞれ設けられている（図４参照）。
【００３０】
このような構成を有する表示装置１の特徴は、図１および図２に示すように、有機ＥＬパネル２のパネル表面２ａの実表示領域より外側の領域に放熱板６を設けた点にある。なお、第１実施形態に係る表示装置１では、発光エリア８全体で各種の画像データに基づき画像を表示するので、有機ＥＬパネル２のパネル表面２ａの「実表示領域」は発光領域である発光エリア８である。したがって、この表示装置１では、放熱板６はそのパネル表面２ａの非発光エリア９に設けられている。
【００３１】
放熱板６は、ステンレス鋼（ＳＵＳ）の薄板であり、有機ＥＬパネル２の発光エリア８に対応する矩形状の部分がプレス加工で打ち抜かれた環状の板である。この環状の放熱板６が、有機ＥＬパネル２のパネル表面２ａの非発光エリア９全体に設けられている。この放熱板６の両側には、発光素子基板１１の両側部に係合する曲げ加工された折曲げ部６ａ、６ｂが形成されている。このような形状の放熱板６は、図２および図３に示すように、両面テープ５３によって有機ＥＬパネル２のパネル表面２ａに貼り付けられている。
【００３２】
図１に示す有機ＥＬパネル２では、複数の画素２２０の各有機ＥＬ素子２２１で発生した熱は、図３の矢印５４で示すように有機ＥＬパネル２のパネル表面２ａとは反対側のパネル背面２ｂ側に伝わるだけでなく、同図の矢印５５で示すようにそのパネル表面２ａ側にも伝わる。なお、本例の表示装置１では、有機ＥＬパネル２のパネル背面２ｂ側に伝わった熱は、さらにパネルコネクト基板１６、パネル制御基板２２，２３等に伝わって外部に逃げる。有機ＥＬパネル２のパネル表面２ａ側に伝わった熱は、放熱板６に熱伝導で伝わり、放熱板６により放熱されるので、パネル表面２ａでの発熱が抑制される。
【００３３】
図５には、第１実施形態に係る表示装置１の有機ＥＬパネル２を連続通電した場合における、そのパネル表面２ａの中央の温度を測定した結果を示す。図５で曲線５６は図１に示す放熱板６の無い有機ＥＬパネルの測定結果を、曲線５７はその放熱板６を有する有機ＥＬパネル２の測定結果をそれぞれ示す。図５の曲線５６，５７から明らかなように、放熱板６を有する有機ＥＬパネル２の方が放熱板６の無い有機ＥＬパネルよりも、パネル表面２ａの中央の温度がより低くなることが分かる。
【００３４】
以上のように構成された第１実施形態によれば、以下の作用効果を奏する。
○有機ＥＬパネル２のパネル表面２ａの実表示領域より外側の領域に設けた放熱板６がパネル表面２ａ側に伝わる熱を奪って放熱するので、パネル表面２ａ側での発熱を抑制することができる。したがって、有機ＥＬパネル２の温度を低く抑えることができ、有機ＥＬパネル２の寿命を長くすることができる。
【００３５】
○パネル表面２ａの非発光エリア９に設けられた放熱板６がパネル表面に伝わる熱を奪って放熱するので、パネル表面２ａ側での発熱を抑制することができる。
○ステンレス鋼の薄板である環状の放熱板６が、有機ＥＬパネル２のパネル表面２ａの非発光エリア９全体に設けられている。これにより、環状の放熱板６がパネル表面２ａの非発光エリア９全体でパネル表面２ａに伝わる熱を奪って放熱するので、パネル表面２ａ側での発熱を効果的に抑制することができる。
【００３６】
（第２実施形態）
図６は第２実施形態に係る表示装置の有機ＥＬパネルに用いる放熱板６Ａを示している。
【００３７】
この放熱板６Ａの表面には、複数の舌片を曲げ起こした複数のフィン６０が設けられている。本例の放熱板６Ａでは、矩形環状に連なる４つの帯状部６１〜６４のうち対向する２つの帯状部６２，６４の表面に、複数のフィン６０がそれぞれ設けられている。これら
のフィン６０は、放熱板６Ａをプレスで抜いてできる複数の舌片を曲げ起こしたものである。第２実施形態に係る表示装置におけるフィン６０以外の構成は、上記第１実施形態と同様である。
【００３８】
以上のように構成された第２実施形態によれば、以下の作用効果を奏する。
○有機ＥＬパネル２のパネル表面２ａに伝わる熱を放熱板６に設けた複数のフィン６０の表面全体で放熱するので、パネル表面２ａ側での発熱をより効果的に抑制することができる。
【００３９】
○放熱板６Ａの表面の複数のフィン６０により、有機ＥＬパネルに伝わる熱をさらに効果的に奪って放熱することができるので、有機ＥＬパネルの温度をさらに低く抑えることができ、表示パネルの寿命をさらに長くすることができる。
【００４０】
（第３実施形態）
第３実施形態に係る表示装置１Ｂを、図７および図８に基づいて説明する。この表示装置１Ｂでは、有機ＥＬパネル２に用いる放熱板６Ｂの両側には、有機ＥＬパネル２の両側部に弾発的に係合する係合部６５が２つずつ形成されている。各係合部６５は、弾性変形する係合片６５ａと、この係合片６５ａの先端に形成された係合爪６５ｂとを有する。
【００４１】
このような構成を有する４つの係合部６５の各係合片６５ａを弾性変形させて、各係合爪６５ｂを図８に示すように有機ＥＬパネル２のパネル制御基板２２の角部に係合させることで、放熱板６Ｂが有機ＥＬパネル２に固定される。
【００４２】
以上のように構成された第３実施形態によれば、以下の作用効果を奏する。
○放熱板６Ｂの両側に２つずつ設けた４つの係合部６５の各係合爪６５ｂを有機ＥＬパネル２のパネル制御基板２２の角部に弾発的に係合させることで、両面テープや接着剤を使わずに放熱板６Ｂを有機ＥＬパネル２に固定することができる。
【００４３】
○放熱板６Ｂが有機ＥＬパネル２のパネル表面２ａに直に接触して固定されることで、パネル表面２ａに伝わる熱を放熱板６Ｂが熱伝導により直接に奪って放熱するので、高い放熱効果が得られ、パネル表面２ａ側での発熱をより効果的に抑制することができる。
【００４４】
○放熱板６Ｂの有機ＥＬパネル２への取り付けも簡単になる。
（第４実施形態）
第４実施形態に係る表示装置１Ｃを、図９および図１０に基づいて説明する。この表示装置１Ｃは、移動体として自動車等の車両のインストルメントパネルに搭載されて、スピードメータ等の画像を表示させる。この表示装置１Ｃでは、発光エリア８は、画像表示に用いられる実表示領域８ａと、実表示領域以外の領域８ｂとを有する。つまり、この実表示領域以外の領域８ｂは、発光エリア８のうち、画像表示に使用されない領域である。
【００４５】
有機ＥＬパネル２に用いる放熱板６Ｃは、図９に示すように、有機ＥＬパネル２のパネル表面２ａの非発光エリア９と、発光エリア８のうち円形の実表示領域８ａより外側の実表示領域以外の領域８ｂとを含む領域に設けられている。そのため、放熱板６Ｃは、ステンレス鋼の矩形の薄板を、円形の実表示領域８ａに対応する円形の開口部６６ａをプレスで抜いた形状を有する。
【００４６】
また、本例の有機ＥＬパネル２は、円形の実表示領域８ａの上部左右の方向表示部８ｃ、８ｄで、方向指示器４２（図１２参照）の操作により左右の矢印６７ａ，６７ｂのいずれかを、図１０に示すように画像表示するようになっている。そのため、パネル表面２ａ上には、円形の実表示領域８ａを覆う円形の円偏光板７ａと、２つの方向表示部８ｃ、８
ｄをそれぞれ覆う矩形の円偏光板７ｂ、７ｃとが設けられている。また、本例の放熱板６Ｃは、図９に示すように、円形の開口部６６ａのほかに、２つの方向表示部８ｃ、８ｄにそれぞれ対応する２つの矩形の開口部６６ｂ、６６ｃをプレスで抜いた形状を有する。
【００４７】
このような構成を有する表示装置１Ｃを図示を省略した車両のインストルメントパネルに搭載する場合には、有機ＥＬパネル２のパネル表面２ａに固定された図９に示す放熱板６Ｃの表面に、図１０に示すようにカバープレート６８を固定する。このカバープレート６８には、放熱板６Ｃの開口部６６ａ，６６ｂ、６６ｃにそれぞれ対応する開口部６８ａ，６８ｂ、６８ｃが形成されている。このようなカバープレート６８を表示装置１Ｃの取り付けた場合における、表示装置１Ｃによる表示状態を図１０で示している。
【００４８】
有機ＥＬパネル２は、その実表示領域８ａで、車速をアナログ表示するスピードメータの目盛り９１、数字９２および指針９３を画像表示するとともに、方向表示部８ｃ、８ｄで、左右の矢印６７ａ，６７ｂのいずれかを画像表示する。
【００４９】
以上のように構成された第４実施形態によれば、以下の作用効果を奏する。
○放熱板６Ｃは、有機ＥＬパネル２のパネル表面２ａの非発光エリア９と、その発光エリア８内の実表示領域以外の領域８ｂとを含む広い面積（但し、左右の方向表示部８ｃ、８ｄを除いた面積）で、パネル表面２ａに伝わる熱を奪って放熱するので、パネル表面２ａ側での発熱を効果的に抑制することができる。
【００５０】
○このような構成の表示パネルは、移動体として自動車等の車両に搭載されて、スピードメータ等の画像を表示させる場合に特に有効となる。すなわち、表示パネルでスピードメータ等の画像を表示させる場合、発光エリア８内に、例えば円形の実表示領域８ａより外側に実表示領域以外の領域８ｂができるので、その実表示領域以外の領域８ｂも使って、パネル表面に伝わる熱をより広い面積で奪うことができ、パネル表面側での発熱をより効果的に抑制できる。
【００５１】
（移動体の表示モジュール）
次に、表示パネルを用いた表示モジュールとしての移動体の表示モジュールの一実施形態を図１１〜図１３に基づいて説明する。
【００５２】
本実施形態に係る移動体の表示モジュール１０は、図１１に示すように、上記第１実施形態で説明した有機ＥＬパネル２と同じ有機ＥＬパネル２，３，４をそれぞれ用いた３つの表示装置１をベースプレート５にその長手方向に並べて取り付けて構成されている。
【００５３】
このベースプレート５はパネル取り付け面が平坦なプレートであるので、３つの表示装置１の各取り付けベース１７の厚さを異ならせることで、各表示装置１のパネル取り付け面からの高さ位置を変えてある。ここでは、真中の有機ＥＬパネル２の取り付けベース１７の厚さを左右の有機ＥＬパネル３，４の取り付けベース１７の厚さよりも大きくすることで、各有機ＥＬパネル２，３，４のパネル取り付け面からの高さ位置を変えて隣合うパネルの非発光エリア９同士が平面的に重なるような配置を可能にしている。
【００５４】
このような構成を有する移動体の表示モジュール１０を自動車等の車両４０のインストルメントパネル４１に搭載した状態を図１２に示してある。また、この表示モジュール１０による表示状態を図１３に示してある。なお、図１３で符号３０は３つの表示装置１の各有機ＥＬパネル２，３，４の表面に取り付けたパネルカバーである。このパネルカバー３０には、各有機ＥＬパネル２，３，４の実表示領域にそれぞれ対応する位置に円形の開口部３３，３４と、矩形の開口部３５とが形成されている。
【００５５】
この移動体の表示モジュール１０は、一例として図１３に示すように、真中の有機ＥＬパネル２により、車速をアナログ表示するスピードメータの目盛り９１、数字９２および指針９３を表示する。また、右側の有機ＥＬパネル３によりエンジン回転数をアナログ表示するタコメータの目盛り９４、数字９５および指針９６を表示し、左側の有機ＥＬパネル４でカーナビゲーション装置の地図情報等の画像９７を表示する。また、有機ＥＬパネル４では、テレビの画像やＤＶＤ装置の画像も表示できる。
【００５６】
以上のように構成された一実施形態に係る移動体の表示モジュール１０によれば、以下の作用効果を奏する。
○複数個の有機ＥＬパネル２〜４で異なる画像を表示させる移動体の表示モジュール１０において、各有機ＥＬパネル２〜４の寿命を長くすることができるとともに、高品質な表示を長期間にわたって維持することができる。
【００５７】
（電子機器）
次に、上記各実施形態で説明した表示装置１の有機ＥＬパネル２を用いた電子機器について説明する。この有機ＥＬパネル２は、図１４に示すようなモバイル型のパーソナルコンピュータに適用できる。図１４に示すパーソナルコンピュータ７０は、キーボード７１を備えた本体部７２と、有機ＥＬパネル２を用いた表示ユニット７３とを備えている。
【００５８】
なお、上記有機ＥＬパネル２を電子機器に適用する場合、図１〜図４に示す有機ＥＬパネル２のうち、少なくとも発光素子基板１１と、封止基板１２と、放熱板６と、４つのフレキシブル配線基板２４〜２７のうちの少なくとも一つを備えた構成の有機ＥＬパネルを用いることができる。
【００５９】
このパーソナルコンピュータ７０によれば、表示ユニット７３の寿命を長くすることができるとともに、高品質な表示を長期間にわたって維持することができる。
なお、この発明は以下のように変更して具体化することもできる。
【００６０】
・上記各実施形態では、表示パネルとして有機ＥＬディスプレイに用いる有機ＥＬパネルを一例として説明したが、放電を用いた蛍光型のプラズマディスプレイに用いる表示パネル、電子放出素子を用いたディスプレイ（ＦＥＤ）やＳＥＤ（Surface−Conduction  Electron−Emitter  Display）に用いる表示パネルにも本発明は適用可能で、上記各実施
形態と同様の効果を得ることができる。
【００６１】
・上記各実施形態では、図１〜図４に示すような構成の有機ＥＬパネルを用いた表示装置１について一例として説明したが、本発明は、少なくとも発光素子基板１１と、封止基板１２と、放熱板６とを備えた構成の有機ＥＬパネルおよびこの有機ＥＬパネルを用いた表示装置に広く適用可能である。
【００６２】
・上記各実施形態では、放熱板をステンレス鋼の薄板で作製したが、ステンレス鋼に代えて、熱伝導率の大きい金属の薄板で放熱板を作製した構成してもよい。
・上記各実施形態では、表示パネルとしての有機ＥＬパネル２のパネル表面２ａ側での発熱を放熱板で抑制するようにしているが、有機ＥＬパネル２のパネル背面２ｂ側にも放熱板を設ける構成にも本発明は適用される。
【００６３】
・図１１〜図１３で説明した移動体の表示モジュール１０では、異なる画像を表示する複数（本例では一例として３つ）の有機ＥＬパネル２〜４を備えた構成において、各有機ＥＬパネルのパネル表面２ａ側での発熱を抑制するようにしたが、本発明はこれに限定されない。本発明は、有機ＥＬパネル２の発光エリア８内の複数の表示領域（例えば３つの表示領域）で異なる画像を表示させるように構成の移動体の表示モジュールにおいて、そ
のパネル表面側での発熱を放熱板で抑制するようにした構成にも適用可能である。
【００６４】
・上記各実施形態では、発光素子基板側から光が出射するボトムエミッションタイプの有機ＥＬパネルについて一例として説明したが、本発明は、封止部材側から光が出射するトップエミッションタイプの有機ＥＬパネルにも適用可能である。この場合、放熱板を設ける「パネルの表面」とは、有機ＥＬパネルの光出射面側である封止部材側の表面をいう。
【００６５】
・図１１に示す移動体の表示モジュール１０では、有機ＥＬパネルの数を「３」としているが、その数は一例であって、本発明は「３」以外の複数の有機ＥＬパネルを用いた移動体の表示モジュールに適用可能である。
【００６６】
・図１１〜図１３に示す移動体の表示モジュール１０では、同じ大きさの３つの有機ＥＬパネル２〜４を用いているが、大きさの異なる複数の有機ＥＬパネルを用いた移動体の表示モジュールにも本発明は適用可能である。例えば、自動車等の車両に実装し、３つの有機ＥＬパネルのうち真中のパネルでスピードメータを表示する場合には、スピードメータの視認性を向上させるために、真中のパネルを大きくして上に位置させ、左右のパネルを小さくして真中のパネルよりも下げるのが好ましい。
【００６７】
・また、図９および図１０に示す上記第４実施形態に係る表示装置１Ｃのように、発光エリア８が実表示領域８ａと実表示領域以外の領域８ｂとを有する有機ＥＬパネルを備える構成において、上記放熱板を実表示領域以外の領域８ｂにのみ設けた構成にも本発明は適用可能である。
【００６８】
・図１４では、有機ＥＬパネル２を用いた電子機器の一例としてパーソナルコンピュータについて説明したが、上記各実施形態で説明した有機ＥＬパネル２は、パーソナルコンピュータに限らず、携帯電話、デジタルカメラ等の各種の電子機器に適用できる。
【図面の簡単な説明】
【００６９】
【図１】第１実施形態に係る表示装置を示す斜視図。
【図２】同表示装置を示す分解斜視図。
【図３】同表示装置に用いる有機ＥＬパネルの一部を示す断面図。
【図４】同表示装置の裏面側を示す斜視図。
【図５】同表示装置と従来の表示装置のパネル温度を測定した結果を示すグラフ。
【図６】同有機ＥＬパネルを示す断面図。
【図７】第２実施形態に係る表示装置を示す斜視図。
【図８】同表示装置における放熱板の係合部を示す断面図。
【図９】第４実施形態に係る表示装置を示す分解斜視図。
【図１０】同表示装置による表示状態を示す平面図。
【図１１】一実施形態に係る移動体の表示モジュールを示す斜視図。
【図１２】同表示モジュールが搭載された車両内部を斜視図。
【図１３】同表示モジュールの表示状態を示す平面図。
【図１４】電子機器としてのパーソナルコンピュータを示す斜視図。
【符号の説明】
【００７０】
１…表示装置、２ａ…パネル表面、２ｂ…パネル背面、６，６Ａ，６Ｂ，６Ｃ…放熱板、２〜４…有機ＥＬパネル、８…発光エリア、８ａ…実表示領域、８ｂ…実表示領域以外の領域、９…非発光エリア、１０…表示モジュール、１１…発光素子基板、１２…封止基板、４０…車両、６０…フィン、６５…係合部、９７…画像、２２０…画素。
【図１】
2006251600.tif 000003
【図２】
2006251600.tif 000004
【図３】
2006251600.tif 000005
【図４】
2006251600.tif 000006
【図５】
2006251600.tif 000007
【図６】
2006251600.tif 000008
【図７】
2006251600.tif 000009
【図８】
2006251600.tif 000010
【図９】
2006251600.tif 000011
【図１０】
2006251600.tif 000012
【図１１】
2006251600.tif 000013
【図１２】
2006251600.tif 000014
【図１３】
2006251600.tif 000015
【図１４】
2006251600.tif 000016